(57)【特許請求の範囲】
【請求項１】
偏光依存性のある光透過性の支持体の上に塗布されたトナー層を有するトナーシートと受像層を有する受像シートとから成る記録材料を前記トナー層を前記受像層に重ねた状態で固定し、直線方向に偏光方向を有するレーザ光を発するレーザ光源を使用して前記記録材料の前記支持体に該レーザ光を透過させて前記記録材料の前記トナー層に光エネルギを供与して前記記録材料の前記受像シートに画像・文字等を記録する画像記録装置において、前記レーザ光が前記支持体に入射する際に前記レーザ光の前記支持体への入射点における、前記支持体の偏光方向と前記レーザ光の偏光方向を略一致させたことを特徴とする画像記録装置。
【請求項２】
前記レーザ光の前記支持体への入射点における、前記支持体の偏光方向と前記レーザ光の偏光方向とのなす角が±３０°以下であることを特徴とする請求項１記載の画像記録装置。
【請求項３】
前記レーザ光の前記支持体への入射点における、前記支持体の偏光方向と前記レーザ光の偏光方向を略一致させるとともに、前記画像記録装置に固定された前記支持体の前記レーザ光の前記支持体への入射点における法線と前記レーザ光の光軸を傾けたことを特徴とする請求項１又は２記載の画像記録装置。
【請求項４】
前記レーザ光の前記支持体への入射点における、前記支持体の法線と前記レーザ光の光軸との傾斜角は前記支持体のブリュースター角の近傍であることを特徴とする請求項３記載の画像記録装置。
【請求項５】
前記レーザ光の前記支持体への入射点における、前記支持体の法線とレーザ光の光軸との傾斜角は１〜６５°の範囲であることを特徴とする請求項３記載の画像記録装置。
【請求項６】
偏光依存性のある光透過性の支持体の上に塗布されたトナー層を有するトナーシートと受像層を有する受像シートとから成る記録材料を前記トナー層を前記受像層に重ねた状態で固定する記録用回転ドラムと、直線方向に偏光方向を有するレーザ光を発する記録用レーザヘッドとを有し、前記記録材料の前記支持体に該レーザ光を透過させて前記記録材料の前記トナー層に光エネルギを供与して前記記録材料の前記受像シートに画像・文字等を記録する画像記録装置において、前記レーザ光が前記記録材料に入射する際に前記レーザ光の前記支持体への入射点における、前記支持体の偏光方向と前記レーザ光の偏光方向を略一致させたことを特徴とする画像記録装置。
【請求項７】
前記レーザ光の前記支持体への入射点における、前記支持体の偏光方向と前記レーザ光の偏光方向を略一致させるとともに、前記記録用回転ドラムに取り付けられた前記支持体の法線と前記レーザ光の光軸を傾けたことを特徴とする請求項６記載の画像記録装置。
【請求項８】
前記記録用回転ドラムに取り付ける前記トナーシートとして、偏光依存性のある光透過性の支持体の上に塗布されたトナー層を有してロール状に巻回されたトナーシートロールを使用し、
前記支持体の偏光方向が前記トナーシートロールの軸方向であり、前記トナーシートロールを前記記録用回転ドラムに取り付けた場合、前記レーザ光の前記支持体への入射点における前記レーザ光の偏光方向を前記記録ドラムの軸方向に合わせたことを特徴とする請求項６又は７記載の画像記録装置。
【請求項９】
前記記録用回転ドラムに取り付ける前記トナーシートとして、偏光依存性のある光透過性の支持体の上に塗布されたトナー層を有してロール状に巻回されたトナーシートロールを使用し、
前記支持体の偏光方向が前記トナーシートロールの円周方向であり、前記トナーシートロールを前記記録用回転ドラムに取り付けた場合、前記レーザ光の前記支持体への入射点における前記レーザ光の偏光方向を前記記録ドラムの回転方向に合わせたことを特徴とする請求項６又は７記載の画像記録装置。
【請求項１０】
偏光依存性のある光透過性の支持体の上に塗布されたトナー層を有するトナーシートと受像層を有する受像シートとから成る記録材料を前記トナー層を前記受像層に重ねた状態で固定する記録用回転ドラムと、直線方向に偏光方向を有するレーザ光を発する記録用レーザヘッドとを有し、前記記録材料の前記支持体に該レーザ光を透過させて前記記録材料の前記トナー層に光エネルギを供与して前記記録材料の前記受像シートに画像・文字等を記録する画像記録装置において、
前記記録用レーザヘッドを該記録用レーザヘッドの発するレーザ光の光軸に対して回転可能に配置したことを特徴とする画像記録装置。
【請求項１１】
偏光依存性のある光透過性の支持体の上に塗布されたトナー層を有するトナーシートと受像層を有する受像シートとから成る記録材料を前記トナー層を前記受像層に重ねた状態で固定する記録用回転ドラムと、直線方向に偏光方向を有するレーザ光を発する記録用レーザヘッドとを有し、前記記録材料の前記支持体に該レーザ光を透過させて前記記録材料の前記トナー層に光エネルギを供与して前記記録材料の前記受像シートに画像・文字等を記録する画像記録装置において、
前記レーザヘッドからのレーザービーム光路が前記支持体まで真っ直ぐに延びる前記レーザヘッドの出射側または内部に位相差板を配置し、該位相差板を回転させることで直線偏光方向を変えるようにしたことを特徴とする画像記録装置。
【請求項１２】
偏光依存性のある光透過性の支持体と該支持体の上に塗布されたトナー層とを有するトナーシートにおいて、前記支持体の前記偏光方向を示す情報が前記トナーシートの一部に記録されていることを特徴とするトナーシート。
【請求項１３】
偏光依存性のある光透過性の支持体と該支持体の上に塗布されたトナー層とを有するトナーシートを梱包しているトナーシート梱包材において、前記支持体の前記偏光方向を示す情報が前記トナーシート梱包材の一部に記録されていることを特徴とするトナーシート梱包材。
【請求項１４】
請求項１２のトナーシートまたは請求項１３のトナーシート梱包材に記録された前記支持体の前記偏光方向を示す情報を読み取る読み取り装置と、該読み取り装置に読み取られた前記情報を基に前記支持体の前記偏光方向に前記記録用レーザヘッドを回転させる駆動装置と、を設けることによりレーザ光の前記支持体への入射点における、前記支持体の前記偏光方向と前記レーザ光の偏光方向を略一致させることを特徴とする請求項１０記載の画像記録装置。
【請求項１５】
請求項１２のトナーシートまたは請求項１３のトナーシート梱包材に記録された前記支持体の前記偏光方向を示す情報を読み取る読み取り装置と、該読み取り装置に読み取られた前記情報を基に前記支持体の前記偏光方向に前記位相差板を回転させる駆動装置と、を設けることによりレーザ光の前記支持体への入射点における、前記支持体の前記偏光方向と前記レーザ光の偏光方向を略一致させることを特徴とする請求項１１記載の画像記録装置。
【請求項１６】
前記トナー層が感光層または感光感熱転写層であることを特徴とする請求項１〜１１記載のいずれか１項記載の画像記録装置。
【発明の詳細な説明】
【０００１】
【発明の属する技術分野】
本発明は、記録媒体に画像、文字などの情報を記録する装置に関し、特にＫ（黒）・Ｃ（シアン）・Ｍ（マゼンダ）・Ｙ（イエロー）の各色トナーを用いたカラー画像・文字などの情報を記録する画像記録装置に関するものである。
【０００２】
【従来の技術】
従来の画像記録装置は、加熱転写が可能な色材層を有する色材シートと受像材料とを用いて、色材シートを画像様に加熱して色材層の加熱若しくは非加熱部分を受像層に転写することにより、受像材料上に画像を得る画像記録装置が各種知られている。具体的には、支持体上に熱溶融性若しくは熱接着性若しくは昇華性の色材層が形成された色材シートを用い、少なくとも記録位置において、色材シートと受像材料とを重ねて色材層と受像材料とを十分密着して、色材シートの裏面側（色材層と逆面）若しくは受像材料の裏面側よりレーザ光等の光ビームで画像様に加熱して色材層に潜像を形成し、その後、色材シートと受像材料とを剥離することによって、色材層の露光部分を受像層に転写して受像材上に画像を転写するものである。
【０００３】
図８はこうした従来の画像記録装置の概略構成を示す図で、図８（ａ）は記録ドラムの外側に記録媒体の色材塗布面を外側にして配置し、塗布面側からレーザ光を照射加熱するアウタードラム方式の例である。図８（ｂ）は記録ドラムの内側に記録媒体の塗布面を内側にして配置し、塗布面側からレーザ光を照射加熱するインナードラム方式の例であり、図８（ｃ）は光透過性の記録ドラムの外側に記録媒体を塗布面を内側にして配置し、塗布面へ向けて光透過性の記録ドラムの内側からレーザ光を照射加熱するインナードラム方式の例である。
３者の場合とも塗布面に直接レーザ光を照射するタイプである。このようなタイプの画像記録は記録媒体の支持体の偏光依存性の問題は生じない。
一方、図９は熱転写式の画像記録装置の場合で、トナーシートの光透過性の支持体の上に塗布されたトナー層を受像シートの受像層に重ねて成る記録材料を記録ドラムの外側に、トナーシートの光透過性の支持体を外側にして配置し、レーザ光をこのトナーシート支持体側から照射し、支持体を透過してトナー層塗布面を加熱する方式である。
【０００４】
【発明が解決しようとする課題】
この熱転写式の画像記録装置の従来例では、トナーシート支持体に使用されるＰＥＴ（ポリエチレンテレフタレート）ベース、ＴＡＣ（トリアセチルセルロース）ベース、ＰＥＮ（ポリエチレンナフタレート）ベースなどは「延伸法」で引伸ばす形で均一な厚さのフィルム状に製造されるが、この延伸時にこれら素材は強制的に引伸ばされるので、分子が一定方向に並び偏光特性が生じた。したがって、図９の場合は、ＰＥＴベースの支持体を透過してから色材シートが加熱されるので、偏光依存性のあるＰＥＴベースなどにレーザ光のように偏光した光を入射させると、レーザ光の偏光方向とＰＥＴベースの偏光方向が異なる時は透過率や反射率が変わり、透過率が小さくなる角度の時には記録感度が低下し、透過率が面内分布を持っている時には画像ムラが発生するという問題があった。
【０００５】
そこで、本発明は、トナーシート支持体と記録用レーザ光の偏光方向を合わせるように調整することで、トナーシート支持体中で無駄に消費される光エネルギーを少なくして光熱変換層まで多くのレーザパワーを透過させて熱エネルギーに変換させ記録感度を高めると共に、トナーシート支持体での反射光量も少なくしてエネルギーを有効に使用できる画像記録装置を提供することを目的としている。
また、感光感熱転写感材の支持体の偏向方向と記録用レーザビームの偏光方向を合わせることで、高感度記録をする画像記録装置を提供する。
【０００６】
上記目的を達成するため、請求項１記載の画像記録装置の発明は、偏光依存性のある光透過性の支持体の上に塗布されたトナー層を有するトナーシートと受像層を有する受像シートとから成る記録材料を前記トナー層を前記受像層に重ねた状態で固定し、直線方向に偏光方向を有するレーザ光を発するレーザ光源を使用して前記記録材料の前記支持体に該レーザ光を透過させて前記記録材料の前記トナー層に光エネルギを供与して前記記録材料の前記受像シートに画像・文字等を記録する画像記録装置において、前記レーザ光が前記支持体に入射する際に前記レーザ光の前記支持体への入射点における、前記支持体の偏光方向と前記レーザ光の偏光方向を略一致させたことを特徴としている。
請求項２記載の発明は、請求項１記載の画像記録装置において、前記レーザ光の前記支持体への入射点における、前記支持体の偏光方向と前記レーザ光の偏光方向とのなす角が±３０°以下であることを特徴としている。
この構成によれば、支持体とレーザ光の偏光方向が同じ向きとなり、透過率を大きくして支持体内部でのレーザ光の減衰量を小さくして、記録感度を上げることができる。
請求項３記載の発明は、請求項１又は２記載の画像記録装置において、前記レーザ光の前記支持体への入射点における、前記支持体の偏光方向と前記レーザ光の偏光方向を略一致させるとともに、前記画像記録装置に固定された前記支持体の前記レーザ光の前記支持体への入射点における法線と前記レーザ光の光軸を傾けたことを特徴としている。
請求項４記載の発明は、請求項３記載の画像記録装置において、前記レーザ光の前記支持体への入射点における、前記支持体の法線と前記レーザ光の光軸との傾斜角は前記支持体のブリュースター角の近傍であることを特徴としている。
請求項５記載の発明は、請求項３記載の画像記録装置において、前記レーザ光の前記支持体への入射点における、前記支持体の法線とレーザ光の光軸との傾斜角は１〜６５°の範囲であることを特徴としている。
この構成によれば、支持体の法線とレーザ光の光軸を傾けることによって、透過率を一層向上させることができる。
【０００７】
さらに、請求項６に記載の画像記録装置の発明は、偏光依存性のある光透過性の支持体の上に塗布されたトナー層を有するトナーシートと受像層を有する受像シートとから成る記録材料を前記トナー層を前記受像層に重ねた状態で固定する記録用回転ドラムと、直線方向に偏光方向を有するレーザ光を発する記録用レーザヘッドとを有し、前記記録材料の前記支持体に該レーザ光を透過させて前記記録材料の前記トナー層に光エネルギを供与して前記記録材料の前記受像シートに画像・文字等を記録する画像記録装置において、前記レーザ光が前記記録材料に入射する際に前記レーザ光の前記支持体への入射点における、前記支持体の偏光方向と前記レーザ光の偏光方向を略一致させたことを特徴としている。
請求項７に記載の発明は、請求項６記載の画像記録装置において、前記レーザ光の前記支持体への入射点における、前記支持体の偏光方向と前記レーザ光の偏光方向を略一致させるとともに、前記記録用回転ドラムに取り付けられた前記支持体の法線と前記レーザ光の光軸を傾けたことを特徴としている。
この構成によれば、記録用回転ドラムを備えている画像記録装置に対しても、支持体の偏光方向とレーザ光の偏光方向を略一致させることによって、さらには支持体の法線とレーザ光の光軸を傾けることによって、透過率を一層向上させることができる。
請求項８に記載の発明は、前記記録用回転ドラムに取り付ける前記支持体としてトナーシートロールを使用する請求項６又は７記載の画像記録装置において、前記トナーシートとして、偏光依存性のある光透過性の支持体の上に塗布されたトナー層を有してロール状に巻回されたトナーシートロールを使用し、前記支持体の偏光方向が前記トナーシートロールの軸方向であり、前記トナーシートロールを前記記録用回転ドラムに取り付けた場合、前記レーザ光の前記支持体への入射点における前記レーザ光の偏光方向を前記記録ドラムの軸方向に合わせたことを特徴としている。
この構成によれば、トナーシートをロール状に巻いてセットする画像記録装置で、トナーシート支持体の主に横向きの偏光方向を補償することにより画像ムラを無くすことができる。
請求項９に記載の発明は、前記記録用回転ドラムに取り付ける前記支持体としてトナーシートロールを使用する請求項６又は７記載の画像記録装置において、
前記トナーシートとして、偏光依存性のある光透過性の支持体の上に塗布されたトナー層を有してロール状に巻回されたトナーシートロールを使用し、前記支持体の偏光方向が前記トナーシートロールの円周方向であり、前記トナーシートロールを前記記録用回転ドラムに取り付けた場合、前記レーザ光の前記支持体への入射点における前記レーザ光の偏光方向を前記記録ドラムの回転方向に合わせたことを特徴としている。
この構成によれば、トナーシートをロール状に巻いてセットする画像記録装置で、トナーシート支持体の主に縦向きの偏光方向を補償することにより画像ムラを無くすことができる。
請求項１０に記載の画像記録装置の発明は、偏光依存性のある光透過性の支持体の上に塗布されたトナー層を有するトナーシートと受像層を有する受像シートとから成る記録材料を前記トナー層を前記受像層に重ねた状態で固定する記録用回転ドラムと、直線方向に偏光方向を有するレーザ光を発する記録用レーザヘッドとを有し、前記記録材料の前記支持体に該レーザ光を透過させて前記記録材料の前記トナー層に光エネルギを供与して前記記録材料の前記受像シートに画像・文字等を記録する画像記録装置において、前記記録用レーザヘッドを該記録用レーザヘッドの発するレーザ光の光軸に対して回転可能に配置したことを特徴としている。
請求項１１に記載の画像記録装置の発明は、偏光依存性のある光透過性の支持体の上に塗布されたトナー層を有するトナーシートと受像層を有する受像シートとから成る記録材料を前記トナー層を前記受像層に重ねた状態で固定する記録用回転ドラムと、直線方向に偏光方向を有するレーザ光を発する記録用レーザヘッドとを有し、前記記録材料の前記支持体に該レーザ光を透過させて前記記録材料の前記トナー層に光エネルギを供与して前記記録材料の前記受像シートに画像・文字等を記録する画像記録装置において、前記レーザヘッドからのレーザービーム光路が前記支持体まで真っ直ぐに延びる前記レーザヘッドの出射側または内部に位相差板を配置し、該位相差板を回転させることで直線偏光方向を変えるようにしたことを特徴としている。
以上の構成によれば、レーザ光源や位相差板を光軸に対して回転させることにより、ビームの偏光方向を簡単に変えることができる。
請求項１２に記載のトナーシートの発明は、偏光依存性のある光透過性の支持体と該支持体の上に塗布されたトナー層とを有するトナーシートにおいて、前記支持体の前記偏光方向を示す情報が前記トナーシートの一部に記録されていることを特徴としている。
請求項１３に記載のトナーシート梱包材の発明は、偏光依存性のある光透過性の支持体と該支持体の上に塗布されたトナー層とを有するトナーシートを梱包しているトナーシート梱包材において、前記支持体の前記偏光方向を示す情報が前記トナーシート梱包材の一部に記録されていることを特徴としている。
この構成によれば、使用するトナーシートの偏光方向をいちいち測定する手間が省けて、ユーザーフレンドリーとなる。
請求項１４に記載の発明は、請求項１０記載の画像記録装置において、請求項１２のトナーシートまたは請求項１３のトナーシート梱包材に記録された前記支持体の前記偏光方向を示す情報を読み取る読み取り装置と、該読み取り装置に読み取られた前記情報を基に前記支持体の前記偏光方向に前記記録用レーザヘッドを回転させる駆動装置と、を設けることによりレーザ光の前記支持体への入射点における、前記支持体の前記偏光方向と前記レーザ光の偏光方向を略一致させることを特徴としている。
請求項１５に記載の発明は、請求項１１記載の画像記録装置において、請求項１２のトナーシートまたは請求項１３のトナーシート梱包材に記録された前記支持体の前記偏光方向を示す情報を読み取る読み取り装置と、該読み取り装置に読み取られた前記情報を基に前記支持体の前記偏光方向に前記位相差板を回転させる駆動装置と、を設けることによりレーザ光の前記支持体への入射点における、前記支持体の前記偏光方向と前記レーザ光の偏光方向を略一致させることを特徴としている。
以上の構成によれば、読み取られた情報を基に支持体偏光方向にレーザ光源又は位相差板を駆動装置が回転させるので、ユーザーは偏光方向の調整に関して格別何もする必要がない。
請求項１６に記載の発明は、請求項１〜１１記載のいずれか１項記載の画像記録装置において、前記トナー層が感光層または感光感熱転写層であることを特徴としている。
この構成によれば、高感度記録ができ、ムラのない記録ができ、光源側への反射光が少なくなり、したがって光源のパワーが安定し、光源の波長シフトが起こりにくく、光源が反射光からのダメージを受けにくいので、故障する確率が減る、という効果が得られる。
【０００８】
【発明の実施の形態】
以下、本発明の実施の形態について図を参照して説明する。図１〜図７は本発明の実施の形態に係る図である。
図１は本発明の実施の形態に係る画像記録装置の構成図である。
図２は図１に示す記録材料の構造を示す図である。
図３は図１に示す光ヘッド用レーザービームの偏光方向を示す図である。
図４は図２に示す支持体の偏光依存性を示す図である。
図５は図２に示す支持体傾斜時の偏光依存性を示す図である。
図６は図５に示す支持体のブリュースター角の説明図である。
図７は図１に示す画像記録装置による記録工程を示す図である。
図１において、１は複数のＬＤ（半導体レーザ）等を組合わせてトナーシートを照射加熱するマルチビーム型の光ヘッドである。２は光ヘッド１のレーザービーム光路に配置して偏光方向を調整する偏光調整手段である。これは位相差板などの複屈折特性を利用した光学素子によってビームの偏光方向を可変するものであり、同等の偏光調整機能があれば他の光学素子も利用することが可能である。
それに加え、光ヘッドの角度を直接モータなどで機械的に変えて、レーザ光の角度を変える手段も有しているものとする。
【０００９】
３は回転ドラムであり、記録材料（転写シート）４を巻き付けて矢印の主走査方向へ高速（２〜２０ｍ／ｓ程度）で回転する。記録材料４はトナーシートと受像シートで構成する熱転写シート等で、詳細については後述する。なお記録材料４はカラープルーフ型のシートを示しているが、この他にも実際の記録装置には、トナーシートをロール状にセットされたマガジン（図示していない）から、搬送ローラ（図示していない）を介して回転ドラム３に搬送するタイプもある。５は光ヘッド１の移動ステージであり、所定のタイミングで矢印の副走査方向へ移動しながら高速で回転する回転ドラム３上の記録材料４上を走査する。
なお、図１に示した回転ドラム方式の他にも、記録紙を上下の搬送ローラで挟んで平坦に搬送し、記録紙の記録平面に対して２次元走査するような画像記録装置にも本発明は適用される。
【００１０】
図２は記録材料４の構造図であり、受像シート６と剥離されるトナーシート７で構成されている。受像シート６は、レーザ光が透過するようなＰＥＴ、ＴＡＣ、ＰＥＮベース等の支持体８と、トナーの段差などを吸収するためのクッション層９と、剥離転写されるトナーを受像する受像層１０で構成される。トナーシート７は、ＫＣＭＹの各色の他に特色と呼ぶ金、銀、グレーのトナーを含むトナー層（塗布面）１１と、カーボン等の赤外吸収色素によりレーザエネルギーを熱に変換する光熱変換層（塗布面）１２と、支持体８で構成されている。この場合、光ヘッド１からのレーザ光は支持体８を透過して塗布面を加熱する。
記録材料としては、例えば同じ出願人による出願である特開平４−２９５６９４号公報、特開平４−３２７９８２号公報、特開平４−３２７９８３号公報に記載される熱転写材料が用いられる。
【００１１】
つぎに動作について説明する。
光源として光ヘッド１に用いられるＬＤ（半導体レーザ）は、あるＰＮ接合面と平行な方向に直線偏光している。図３（ａ）は回転ドラム３の軸方向左側を角度０度としたときのＬＤの偏光特性曲線であり、図３（ｂ）は光軸上での偏光方向を示す図である。図３（ａ）の横軸の、光源ＬＤの偏光特性が最大となる角度から、図の光源は図３（ｂ）に示すように、回転ドラム３の軸方向に対し、ほぼ９０°、２７０°方向（垂直）に偏光していることになる。
【００１２】
一方、支持体の偏光依存性は、図２に示すようなＰＥＴベースの支持体８については、「延伸法」で厚さ１００μｍ程度まで引き伸ばされているので、伸ばされた方向に分子ラインの湾曲皺が発生したような形となり、例えば、図４（ａ）に示すような略タテ方向の偏光依存性が測定された。図中、▲がＰＥＴベースの支持体の反射率、△が同じく透過率である。同図からわかるように、サンプル角度が約８０°と２６０°のところで支持体透過率が最高（９５％）、支持体反射率が最低（２％）となることがわかる。すなわち、この場合は図４（ｂ）に示されているように、約８０°、２６０°の方向に偏光していることがわかる。
逆に、サンプル角度が約１７０°と３５０°のところで支持体透過率が最低（８７％）となり、熱転写効率からは最悪の状態とであることがわかる。
このように、従来はこうした偏光依存性のあるＰＥＴベースの支持体８を使用しているにもかかわらず、レーザ光の偏光光線との関係を何も考慮しないでいたために、記録感度が低下するところで使用していることが起こっていた。
本発明では偏光関係を考慮することにより、透過率が最大のところを選べるようになる。
【００１３】
補償方法は、大別して以下の２段階により実施する。
第１段階：支持体とレーザ光の偏光方向を略一致させる。
（ａ）、図４を例にとると、支持体のＰＥＴベースの分子ラインがタテ方向に−１０°（ここで、時計回りをマイナス、反時計回りをプラスとする。）偏光しているので支持体をＸ、Ｙ面上で約−１０°回転させる（モータ等により機械的、自動的か、又は手動による調整手段）。
又は、位相差板の回転等によりレーザ光の偏光方向を調整して支持体の偏光方向に合わせることで、最大透過率を得る。
又は、光ヘッド全体を回転させる。
又は、ＬＤ単体を回転させる。
ここで仮に、支持体をＸ、Ｙ面上で１００°回転させたとすると、サンプル角度８０°→１８０°へ回転させたことになり、レーザ光の偏光方向と支持体の偏光方向は直交する方向になり、透過率が最低となるので、最大の光エネルギー減衰状態になってしまう。
なお、この偏光方向合わせの誤差は、双方の偏光方向のなす角が少なくとも、±３０°以下、好ましくは±２０°以下、より好ましくは±１０°以下に収まるように調整する。
【００１４】
第２段階：支持体の法線とレーザ光の光軸を傾け、かつ、支持体の偏光方向とレーザ光の偏光方向を略一致させる。
（ａ）、すなわち、支持体の法線とレーザ光の光軸を傾ける角度を変えることにより、図５のような実験結果が得られた。図において、●が支持体反射率、○が支持体透過率を示している。
先の支持体の法線とレーザ光の光軸を一致させた図４と比べて分かるように、支持体の法線とレーザ光の光軸を調整し傾けることにより、支持体透過率が改善される（１７０°、３５０°のところで９９％）。したがって、まず、図５を参考に１７０°（つまり−１０°）だけ支持体の法線とレーザ光の光軸を傾ける。
（ｂ）、次に、再度前回と同様な、レーザ光と支持体の偏光方向合わせを行う。
【００１５】
第２段階の（ａ）調整の場合の最良点は、図６に示すようなブリュースター角より求められる。すなわち、図６（ａ）は、屈折率ｎ＝１．５１のガラス（ＢＫ−７）の入射角に対するＲｐとＲｓの反射率の変化を表したもので、Ｒｐは入射面（入射光の伝わる方向と境界面の法線とからできる面）と平行に（ｐａｒａｌｌｅｌ）偏光される場合を表し、Ｒｓは入射面と垂直に（ｓｅｎｋｒｅｃｈｔ）偏光される場合を表している。光が空気（屈折率ｎ＝１．０）中からガラスに入射すると、図６（ａ）から次のことがわかる。
▲１▼  反射率Ｒは、垂直入射（入射角＝０°）の場合、入射面と平行に偏光された光線の場合Ｒｐも入射面と垂直に偏光された光線の場合Ｒｓもいずれも約４％であり、両方の偏光に対して変わらない。垂直入射角の反射は次式で求められる。
垂直入射角の反射率Ｒ＝（ｎ１−ｎ２）2 ／（ｎ１＋ｎ２）2 
したがって、空気（ｎ１＝１．０）→ガラス（ｎ２＝１．５１）の場合、
Ｒ＝（−０．５１）2 ／（２．５１）2 ＝０．０４
▲２▼  ところが、入射面と平行に偏光された光線の反射率Ｒｐは、図６（ａ）を見ると入射角が０°から増えていくにしたがって徐々に反射率は減少し（ということは、透過率が増加し）てゆき、入射角が５６．４９°のときに反射率０（すなわち、光の損失がなければ透過率１００％）となることがわかる。この角度はブリュースター角（Ｂｒｅｗｓｔｅｒ’ｓ  ａｎｇｌｅ）と呼ばれる。
図６（ｂ）は、表の最左が垂直入射（入射角＝０°）の場合の反射率Ｒ、その右が空気中から入射してくる媒体の屈折率ｎ２、その右の２つがブリュースター角度をラジアンと角度で表したものである。例えば、第１行目は空気から空気（屈折率ｎ２＝１）への垂直入射の反射率は０であり、空気のブリュースター角は４５．００度である。また、屈折率ｎ２＝１．５のガラスへの垂直入射の反射率は前述したように０．０４であり、ブリュースター角は５６．３１度である。
したがって、偏光特性のレーザ光を空気中で支持体に照射する場合、支持体の屈折率がわかればブリュースター角が求まるので、そのブリュースター角になるように支持体の法線とレーザ光の光軸を傾ければ、それが透過率最大となる。
ＰＥＴ支持体の場合、屈折率ｎ２＝１．６程度であるので、ブリュースター角は５８度近傍である。したがって、今の場合、支持体法線とレーザ光軸角度は、１〜６５°の範囲で変えられるようにしておくのがよい。
又、再度実行する（ｂ）調整の場合の偏光方向合わせの精度は、前記第１段階と同様に±３０°以下、好ましくは±２０°以下、より好ましくは±１０°以下とする。
【００１６】
この他に調整としては、トナーシートをロール状で画像記録装置にセットするような場合に、レーザヘッドの偏光方向を記録ドラムの軸方向に合わせ、支持体の偏向方向をトナーシートのロール軸方向に合わせる。あるいは、レーザヘッドの偏光方向を記録ドラムの回転方向に合わせ、支持体の偏光方向をトナーシートのロール円周方向に合わせる、という調整によって透過率の面内分布を抑えて画像ムラを低減させる。
【００１７】
さらに、支持体の偏向方向をトナーシートやトナーシートを梱包するトナーシート梱包材の一部に情報として、記録しておけば、ユーザーは使用するトナーシートの偏光方向をいちいち測定しなくてもこの情報をもとにレーザ光源や位相差板を手動であわせればよいので、測定する手間が省けて便利である。
また、この支持体の偏向方向情報を数値や記号、バーコード、磁気記録媒体、ＩＣカードのうちの１つ以上から成るもので構成しておき、画像記録装置側にこれらの情報を読み取れる読み取り装置を備えておき、さらにこの読み取り装置に読み取られた支持体偏光方向に前記レーザ光源又は位相差板を回転させる駆動装置を設けておけば、読み取り装置が数値、記号、バーコード、磁気記録媒体、ＩＣカードの情報を読み取り、このようにして読み取られた支持体偏光方向に駆動装置がレーザ光源又は位相差板を自動的に回転させるので、ユーザーは偏光方向の調整のために情報をもとにレーザ光源や位相差板を手動であわせる手間が省け、しかも誤操作のおそれもなくなる。
読み取り装置としては、数値や記号についてはＯＣＲ、バーコードについてはバーコードリーダー、磁気記録媒体については磁気読み取り装置、ＩＣカードリーダーを用いればよい。
【００１８】
図７は図１に示すような画像記録装置による記録工程を示したもので、
先ず、以上説明した偏光合わせを行った後、黒色Ｋの転写処理を行う。
１、受像シート６をドラム３に巻き付け、
２、Ｋ色のトナーシートを巻き付け、
３、ラミネートする。（又は当工程を省略）、
４、Ｋデータで偏光方向を調整し透過率を高めた高効率のレーザ記録を行って、５トナーシートを転写・剥離。
同様に面順次でＣ色、Ｍ色、Ｙ色についても、それぞれ同じ転写処理を行ってカラー画像を形成する。
【００１９】
次に、本発明は感光感熱転写感材にも適用できるので、これについて以下に説明する。感光感熱転写感材に適用できるケースとして、次のａ〜ｄの４つのタイプの場合がある。
ａ．単色タイプに適用の場合。
ｂ．単色タイプで多色記録＋４種類の波長のレーザ光を使用するタイプに適用の場合。
ｃ．単色タイプで多色記録＋１種類の波長のレーザ光を使用するタイプに適用の場合。
ｄ．多色タイプ（多層感光感熱転写感材タイプ）に適用の場合。
以下、ａ〜ｄの順に説明する。
【００２０】
ａ．単色タイプに適用の場合。
１）感材構成は、図１０のとおり。
２）記録工程。
ア．受像紙又は本紙を記録ドラムや記録基板に設置する。
イ．感光感熱転写感材を、感光感熱転写層と受像紙又は本紙を重ね合わせ、巻きつける。
ウ．［潜像形成工程］で所望の画像・文字データでレーザ記録する。
レーザ光は、感光感熱転写層に含有する発色成分に応じた波長とする。
以上のようにすると、レーザ光が照射された部分のみ、潜像が形成される。
すなわち、特願平１１−３６３０８に記載のごとく発色反応させない部分が形成される。
エ．［発色工程］は図１１のとおり。
熱ローラで熱を加え熱現像する。しかし特に熱ローラである必要はない。
また、このとき、［感光感熱転写層］＋［受像紙又は本紙］と、熱ローラとの間にカーバーシートや金属製のシート物を介しても良い。
以上のようにすると、レーザ光が照射された部分のみ発色反応せず、未照射部分が発色し、以後、記録用レーザ光による光反応性を失う。
オ．［転写工程］：図１２のように、感光感熱転写感材を剥離する。
このとき、支持体と接着層のみが剥離され、感光感熱転写層のみが受像紙又は本紙側に残る。
カ．［画像定着工程］
ランプ等による光照射で、特願平１１−３６３０８に記載のごとく、感光感熱転写層内の分光増感色素を消色する。
【００２１】
ｂ．単色タイプで多色記録＋４種類の波長のレーザ光を使用するタイプに適用の場合。
１）感材構成は、図１３のとおり。
２）記録工程。
ア．受像紙又は本紙を記録ドラムや記録基板に設置する。
イ．感光感熱転写感材Ｋを、感光感熱転写層を受像紙又は本紙側にし重ね合わせて巻きつける。
ウ．［潜像形成工程］：感光感熱転写層Ｋに含有する発色成分に応じた波長（３００〜１１００ｎｍのいずれかの波長。）のレーザ光で記録する。例えば、ここではＫデータで波長約８３０ｎｍ付近のレーザ記録する。
以上のようにすると、レーザ光が照射された部分のみ、潜像が形成される。
すなわち、特願平１１−３６３０８に記載のごとく発色反応させない部分が形成される。
エ．［発色工程］：熱ローラ等で熱を加え、熱現像する。
以上のようにすると、レーザ光が照射された部分のみ発色反応せず、未照射部分が発色し、以後、記録用レーザ光による光反応性を失う。
オ．［転写工程］：図１４のように、感光感熱転写感材Ｋを剥離する。
このとき、支持体と剥離層が剥離され、感光感熱転写層Ｋと接着層が受像紙又は本紙側に残る。
カ．感光感熱転写感材Ｃを、感光感熱転写層を受像紙又は本紙側にし重ね合わせて巻きつける。図１５参照。
キ．［潜像形成工程］：感光感熱転写層Ｃに含有する発色成分に応じた波長（３００〜１１００ｎｍのいずれかの波長。）のレーザ光で記録する。例えば、Ｃデータで波長約６５０ｎｍ付近のレーザ記録する。
以上のようにすると、レーザ光が照射された部分のみ、潜像が形成される。
すなわち、特願平１１−３６３０８に記載のごとく発色反応させない部分が形成される。
ク．［発色工程］：熱を加え、熱現像する。
以上のようにすると、レーザ光が照射された部分のみ発色反応せず、未照射部分が発色し、以後、記録用レーザ光による光反応性を失う。
ケ．［転写工程］：図１６のように、感光感熱転写感材Ｃを剥離する。
このとき、支持体と剥離層が剥離され、感光感熱転写層Ｃと接着層が受像紙又は本紙側に残る。
コ．感光感熱転写感材Ｍを、感光感熱転写層を受像紙又は本紙側にし重ね合わせ、巻きつける。図１７参照。
サ．［潜像形成工程］：感光感熱転写層Ｍに含有する発色成分に応じた波長（３００〜１１００ｎｍのいずれかの波長。）のレーザ光で記録する。例えば、Ｍデータで波長約５３０ｎｍ付近のレーザ記録する。
以上のようにすると、レーザ光が照射された部分のみ、潜像が形成される。
すなわち、特願平１１−３６３０８に記載のごとく発色反応させない部分が形成される。
シ．［発色工程］：熱を加え、熱現像する。
以上のようにすると、レーザ光が照射された部分のみ発色反応せず、未照射部分が発色し、以後、記録用レーザ光による光反応性を失う。
ス．［転写工程］：図１８のように、感光感熱転写感材Ｍを剥離する。
このとき、支持体と剥離層が剥離され、感光感熱転写層Ｍと接着層が受像紙又は本紙側に残る。
セ．感光感熱転写感材Ｙを、感光感熱転写層を受像紙又は本紙側にし重ね合わせ、巻きつける。図１９参照。
ソ．［潜像形成工程］：感光感熱転写層Ｙに含有する発色成分に応じた波長（３００〜１１００ｎｍのいずれかの波長。）のレーザ光で記録する。例えば、Ｙデータで波長約４００ｎｍ付近のレーザ記録する。
以上のようにすると、レーザ光が照射された部分のみ、潜像が形成される。
すなわち、特願平１１−３６３０８に記載のごとく発色反応させない部分が形成される。
タ．［発色工程］：熱を加え、熱現像する。
以上のようにすると、レーザ光が照射された部分のみ発色反応せず、未照射部分が発色し、以後、記録用レーザ光による光反応性を失う。
チ．［転写工程］：図２０のように、感光感熱転写感材Ｙを剥離する。
このとき、支持体と剥離層が剥離され、感光感熱転写層Ｙと接着層が受像紙又は本紙側に残る。
ツ．［画像定着工程］：
ランプ等による光照射で、特願平１１−３６３０８に記載のごとく、感光感熱転写層内の分光増感色素を消色し、透明部分をより透明にする。
最終的に、図２１のようなＫ・Ｍ・Ｃ・Ｙの４色記録が受像紙又は本紙の上に得られる。
この後、感光感熱転写層Ｙの上に、画像をキズ等から保護する保護層を形成してもよい。
【００２２】
ｃ．単色タイプで多色記録＋１種類の波長のレーザ光を使用するタイプに適用の場合。
１）感材構成は、図１３のとおり。
２）記録工程。
ア．受像紙又は本紙を記録ドラムや記録基板に設置する。
イ．感光感熱転写感材Ｋを、感光感熱転写層を受像紙又は本紙側にし重ね合わせて巻きつける。
ウ．［潜像形成工程］：感光感熱転写層Ｋに含有する発色成分に応じた波長（３００〜１１００ｎｍのいずれかの波長。）のレーザ光で記録する。例えば、ここではＫデータで波長約６５０ｎｍ付近のレーザ記録する。
以上のようにすると、レーザ光が照射された部分のみ、潜像が形成される。
すなわち、特願平１１−３６３０８に記載のごとく発色反応させない部分が形成される。
エ．［発色工程］：熱を加え、熱現像する。
以上のようにすると、レーザ光が照射された部分のみ発色反応せず、未照射部分が発色し、以後、記録用レーザ光による光反応性を失う。
オ．［転写工程］：図１４のように、感光感熱転写感材Ｋを剥離する。
このとき、支持体と剥離層が剥離され、感光感熱転写層Ｋと接着層が受像紙又は本紙側に残る。
カ．感光感熱転写感材Ｃを、感光感熱転写層を受像紙又は本紙側にし重ね合わせて巻きつける。図１５参照。
キ．［潜像形成工程］：感光感熱転写層Ｃに含有する発色成分に応じた波長（３００〜１１００ｎｍのいずれかの波長。）のレーザ光で記録する。例えば、ここではＣデータで波長約６５０ｎｍ付近のレーザ記録する。
以上のようにすると、レーザ光が照射された部分のみ、潜像が形成される。
すなわち、特願平１１−３６３０８に記載のごとく発色反応させない部分が形成される。
ク．［発色工程］：熱を加え、熱現像する。
以上のようにすると、レーザ光が照射された部分のみ発色反応せず、未照射部分が発色し、以後、記録用レーザ光による光反応性を失う。
ケ．［転写工程］：図１６のように、感光感熱転写感材Ｃを剥離する。
このとき、支持体と剥離層が剥離され、感光感熱転写層Ｃと接着層が受像紙又は本紙側に残る。
コ．感光感熱転写感材Ｍを、感光感熱転写層を受像紙又は本紙側にし重ね合わせて巻きつける。図１７参照。
サ．［潜像形成工程］：感光感熱転写層Ｍに含有する発色成分に応じた波長（３００〜１１００ｎｍのいずれかの波長。）のレーザ光で記録する。例えば、ここではＭデータで波長約６５０ｎｍ付近のレーザ記録する。
以上のようにすると、レーザ光が照射された部分のみ、潜像が形成される。
すなわち、特願平１１−３６３０８に記載のごとく発色反応させない部分が形成される。
シ．［発色工程］：熱を加え、熱現像する。
以上のようにすると、レーザ光が照射された部分のみ発色反応せず、未照射部分が発色し、以後、記録用レーザ光による光反応性を失う。
ス．［転写工程］：図１８のように、感光感熱転写感材Ｍを剥離する。
このとき、支持体と剥離層が剥離され、感光感熱転写層Ｍと接着層が受像紙又は本紙側に残る。
セ．感光感熱転写感材Ｙを、感光感熱転写層を受像紙又は本紙側にし重ね合わせて巻きつける。図１９参照。
ソ．［潜像形成工程］：感光感熱転写層Ｙに含有する発色成分に応じた波長（３００〜１１００ｎｍのいずれかの波長。）のレーザ光で記録する。例えば、ここではＹデータで波長約６５０ｎｍ付近のレーザ記録する。
以上のようにすると、レーザ光が照射された部分のみ、潜像が形成される。
すなわち、特願平１１−３６３０８に記載のごとく発色反応させない部分が形成される。
タ．［発色工程］：熱を加え、熱現像する。
以上のようにすると、レーザ光が照射された部分のみ発色反応せず、未照射部分が発色し、以後、記録用レーザ光による光反応性を失う。
チ．［転写工程］：図２０のように、感光感熱転写感材Ｙを剥離する。
このとき、支持体と剥離層が剥離され、感光感熱転写層Ｙと接着層が受像紙又は本紙側に残る。
ツ．［画像定着工程］：
ランプ等による光照射で、特願平１１−３６３０８に記載のごとく、感光感熱転写層内の分光増感色素を消色する。
最終的に、図２１のようなＫ・Ｍ・Ｃ・Ｙの４色記録が受像紙又は本紙の上に得られる。
この後、感光感熱転写層Ｙの上に、画像をキズ等から保護する保護層を形成してもよい。
以上の工程によると、トータルの記録時間は長くなるが、この［画像定着工程］は各色記録工程の［発色工程］または［転写工程］後に実施してもよい。
【００２３】
ｄ．多色タイプ（多層感光感熱転写感材タイプ）に適用の場合。
１）感材構成は図２２のとおりである。すなわち、各色の層順は本紙側からＫ・Ｃ・Ｍ・Ｙとなっており、各色層の下方には接着層があり、支持体の色層側には剥離し易くする剥離層が設けてある。
そして、各色の層順は本紙側からＫ・Ｃ・Ｍ・Ｙとなっているが、もちろん層順はこの限りではない。
また、層数も４層とは限らず、２層（Ｍ／Ｃの２色刷り）もあるし、３層（Ｍ／Ｃ／Ｙの３色刷り。ＫはＣＭＹの混色を使用）もある。さらに、４層以上（特色として、グレー・グリーン・オレンジ・金・銀等）もある。
２）記録工程。
ア．受像紙又は本紙を記録ドラムや記録基板に設置する。
イ．感光感熱転写感材を、感光感熱転写層と受像紙又は本紙側にし重ね合わせて巻きつける。図２２参照。
ウ．［潜像形成工程］：各色の感光感熱転写層の吸収波長に合った波長（３００〜１１００ｎｍのいずれかの波長。）のレーザ光で、各色独立に記録する。
例えば、▲１▼  Ｋデータで波長約８３０ｎｍ付近のレーザ記録する。
▲２▼  Ｃデータで波長約６５０ｎｍ付近のレーザ記録する。
▲３▼  Ｍデータで波長約５３０ｎｍ付近のレーザ記録する。
▲４▼  Ｙデータで波長約４００ｎｍ付近のレーザ記録する。
もちろん、波長は、特にこれらに限定されるものではない。
上記レーザ光で、Ｋ、Ｃ、Ｍ、Ｙ４色を同時に露光することにより、記録時間を１／４に短縮することが可能となる。
すなわち、特願平１１−３６３０８に記載のごとく発色反応させない部分が各色各層ごとに形成される。
エ．［発色工程］：
熱を加え、熱現像する。
以上のようにすると、レーザ光が照射された部分のみ発色反応せず、未照射部分が発色し、以後、記録用レーザ光による光反応性を失う。
オ．［転写工程］：
図２０のように、感光感熱転写感材を剥離する。このとき、支持体と接着層のみが剥離され、感光感熱転写層のみが受像紙又は本紙側に残る。
カ．［画像定着工程］：
ランプ等による光照射で、特願平１１−３６３０８に記載のごとく、感光感熱転写層内の分光増感色素を消色する。
最終的に、図２１のようなＫ・Ｍ・Ｃ・Ｙの４色記録が受像紙又は本紙の上に得られる。
この後、感光感熱転写層Ｙの上に、画像をキズ等から保護する保護層を形成してもよい。
【００２４】
【発明の効果】
以上説明したように、本発明によれば、支持体の偏光方向と記録用レーザ光の偏光方向を合わせることで、光熱変換層まで多くのレーザパワーを透過させることが出来、光熱変換層で多くの熱エネルギーに変化させることができるようになったので、記録感度が高くなるという効果がある。
更に、反射光量も小さくなるので、光／熱エネルギーを有効に使用することができる効果もある。
更に、支持体のＰＥＴベースによって異なる記録媒体のロット間差、使用するトナーシートの色の違いによる感度差、支持体原反からのスリット部分の差等を補正できるので、記録材料に関係なく常に一定の品質の記録感度で記録が可能になるという効果もある。
また、記録用レーザビームが支持体を透過でき、かつ、作用層（光熱変換層／感光層／感光感熱転写層）に達するようにした上で、感光感熱転写感材の支持体の偏向方向と記録用レーザビームの偏光方向を合わせることで、
１）  高感度記録ができ、
２）  ムラのない記録ができ、
３）  光源側への反射光が少なくなる。
透過光量が増加するので、当然、光源への反射光（戻り光）も減少する。
このため、
４）光源のパワーが安定する。
５）光源の波長シフトが起こりにくい。
６）光源が反射光からのダメージを受けにくく故障する確率が減る。
と言う効果が得られる。
【図面の簡単な説明】
【図１】本発明の実施の形態に係る画像記録装置の構成図である。
【図２】図１に示す記録材料の構造を示す図である。
【図３】図１に示す光ヘッド用レーザ光の偏光方向を示す図である。
【図４】図２に示す支持体の偏光方向を示す図である。
【図５】図２に示す支持体の傾斜時の偏光依存性を示す図である。
【図６】図５に示す支持体のブリュースター角の説明図である。
【図７】図１に示す画像記録装置の記録工程を示す図である。
【図８】従来の塗布面を直接照射する型の画像記録装置の説明図である。
【図９】従来の支持体を透過して塗布面を照射する型の画像記録装置の説明図である。
【図１０】単色タイプに適用の場合の感材構成の説明図である。
【図１１】熱を加え熱現像する発色工程の説明図である。
【図１２】感光感熱転写感材を剥離する工程の説明図である。
【図１３】感光感熱転写感材の単色Ｋの感材構成の説明図である。
【図１４】感光感熱転写感材の単色Ｋを剥離する工程の説明図である。
【図１５】感光感熱転写感材の単色Ｃの感材構成と受像紙等側の構成の説明図である。
【図１６】感光感熱転写感材の単色Ｃを剥離する工程の説明図である。
【図１７】感光感熱転写感材の単色Ｍの感材構成と受像紙等側の構成の説明図である。
【図１８】感光感熱転写感材の単色Ｍを剥離する工程の説明図である。
【図１９】感光感熱転写感材の単色Ｙの感材構成と受像紙等側の構成の説明図である。
【図２０】感光感熱転写感材の単色Ｙを剥離する工程の説明図である。
【図２１】受像紙又は本紙の上に最終的に得られるＫ・Ｍ・Ｃ・Ｙの４色カラー画像の構成を示す図である。
【図２２】多層感光感熱転写感材の感材構成の説明図である。
【符号の説明】
１  光ヘッド
２  偏光方向調整手段
３  回転ドラム
４  記録材料
５  移動ステージ
６  トナーシート
７  受像シート
８  支持体
９  クッション層
１０  受像層
１１  トナー層
１２  光熱変換層
【図１】
0004067223.tif 000002
【図２】
0004067223.tif 000003
【図３】
0004067223.tif 000004
【図４】
0004067223.tif 000005
【図５】
0004067223.tif 000006
【図６】
0004067223.tif 000007
【図７】
0004067223.tif 000008
【図８】
0004067223.tif 000009
【図９】
0004067223.tif 000010
【図１０】
0004067223.tif 000011
【図１１】
0004067223.tif 000012
【図１２】
0004067223.tif 000013
【図１３】
0004067223.tif 000014
【図１４】
0004067223.tif 000015
【図１５】
0004067223.tif 000016
【図１６】
0004067223.tif 000017
【図１７】
0004067223.tif 000018
【図１８】
0004067223.tif 000019
【図１９】
0004067223.tif 000020
【図２０】
0004067223.tif 000021
【図２１】
0004067223.tif 000022
【図２２】
0004067223.tif 000023